(57)【要約】【課題】  誰でも簡単且つ気軽に特殊な撮影条件で撮影を行うことができる撮像装置を提供する。【解決手段】  デジタルカメラ２は、撮影条件が記憶された無線タグ３２から、撮影条件を取り込む無線タグリーダ２６と、取り込んだ撮影条件を記憶するフラッシュＲＯＭ５８とを備え、取り込んだ撮影条件に則った撮影処理を行って、被写体の撮影を実行する。無線タグリーダ２６で無線タグ３２から撮影条件を取り込むだけで、プロの写真家が撮影した写真のような、微妙な色合いや風趣を忠実に再現した写真を撮影することができる。【選択図】        図３
2005143023.tif 000002
【特許請求の範囲】
【請求項１】
撮影条件が記憶された無線タグから、前記撮影条件を取り込む無線タグリーダと、
取り込んだ撮影条件を記憶する記憶手段と、
取り込んだ撮影条件に基づいて、被写体の撮影を実行する撮像手段とを備えたことを特徴とする撮像装置。
【請求項２】
前記記憶手段は、前記撮影条件を複数記憶することが可能であるとともに、記憶された複数の撮影条件をユーザーに選択させる選択手段を備えたことを特徴とする請求項１に記載の撮像装置。
【請求項３】
前記撮影条件は、その条件を示す画像データを含み、前記複数の撮影条件の選択時に、前記画像データを表示する画像表示手段を備えたことを特徴とする請求項２に記載の撮像装置。
【請求項４】
前記撮像手段は、前記無線タグリーダによる撮影条件の取り込み前には、予め設定されたオート撮影条件、またはカメラ購入時に設定されていたデフォルト撮影条件にて撮影を実行することを特徴とする請求項１ないし３のいずれかに記載の撮像装置。
【請求項５】
前記記憶手段に記憶されている撮影条件をリセットして、カメラ購入時に設定されていたデフォルト撮影条件に戻すためのデフォルト復帰手段を備えたことを特徴とする請求項１ないし４のいずれかに記載の撮像装置。
【請求項６】
前記選択手段は、前記複数の撮影条件を段階的に切り換えることが可能な構成を有し、前記複数の撮影条件が各段階に割り当てられていることを特徴とする請求項２ないし５のいずれかに記載の撮像装置。
【発明の詳細な説明】
【技術分野】
【０００１】
本発明は、無線タグから撮影条件を取り込み、この撮影条件に基づいて被写体の撮影を実行する撮像装置に関する。
【背景技術】
【０００２】
撮像装置として、ＣＣＤなどの固体撮像素子で撮像した被写体画像をデジタルの画像データに変換し、内蔵メモリやメモリカードなどの記録メディアに記録するデジタルカメラが普及している。このようなデジタルカメラには、カメラの各種機能をユーザーの好みに合わせてカスタマイズすることが可能なものがある。
【０００３】
上記のようなデジタルカメラとしては、過去の撮影処理に基づいたユーザー特有の撮影条件をカスタム撮影条件として保存しておき、モードダイヤルでカスタム撮影モードが設定されたときに、このカスタム撮影条件に基づいた撮影処理を行わせるものが提案されている（特許文献１参照）。また、インターネットなどを介して公開される多数のアイコン画像の中から、気に入ったアイコン画像を入手して、メニュー画面に配置されるアイコンとして利用することが可能なものが提案されている（特許文献２参照）。
【０００４】
【特許文献１】特開２００１−１８６４０６号公報
【特許文献２】特開２００２−１８５８３８号公報
【発明の開示】
【発明が解決しようとする課題】
【０００５】
ところで、プロの写真家が撮影した写真を見て、ユーザーが同じような写真を撮影したいと思った場合、写真集に掲載されている撮影条件に合わせて、いちいち設定を行わなければならず、非常に手間が掛かってしまう。また、カメラの操作に不慣れな人や、写真にあまり詳しくない人にとっては、上記撮影条件の設定は尚更煩雑な作業であり、折角撮影条件を設定しても、撮影が失敗に終わるおそれがある。ここで、特許文献１および２に記載のデジタルカメラは、ユーザーの好みに合わせてカスタマイズすることはできるが、上記のようなユーザーの要望に応えることができない。  
【０００６】
本発明は、上記課題を鑑みてなされたものであり、誰でも簡単且つ気軽に特殊な撮影条件で撮影を行うことができる撮像装置を提供することを目的とする。
【課題を解決するための手段】
【０００７】
上記目的を達成するために、本発明の撮像装置は、撮影条件が記憶された無線タグから、前記撮影条件を取り込む無線タグリーダと、取り込んだ撮影条件を記憶する記憶手段と、取り込んだ撮影条件に基づいて、被写体の撮影を実行する撮像手段とを備えたことを特徴とする。
【０００８】
なお、前記記憶手段は、前記撮影条件を複数記憶することが可能であるとともに、記憶された複数の撮影条件をユーザーに選択させる選択手段を備えることが好ましい。また、前記撮影条件は、その条件を示す画像データを含み、前記複数の撮影条件の選択時に、前記画像データを表示する画像表示手段を備えることが好ましい。
【０００９】
また、前記撮像手段は、前記無線タグリーダによる撮影条件の取り込み前には、予め設定されたオート撮影条件、またはカメラ購入時に設定されていたデフォルト撮影条件にて撮影を実行することが好ましく、前記記憶手段に記憶されている撮影条件をリセットして、カメラ購入時に設定されていたデフォルト撮影条件に戻すためのデフォルト復帰手段を備えることが好ましい。さらに、前記選択手段は、前記複数の撮影条件を段階的に切り換えることが可能な構成を有し、前記複数の撮影条件が各段階に割り当てられていることが好ましい。
【発明の効果】
【００１０】
本発明の撮像装置によれば、撮影条件が記憶された無線タグから、撮影条件を取り込む無線タグリーダと、取り込んだ撮影条件を記憶する記憶手段と、取り込んだ撮影条件に基づいて、被写体の撮影を実行する撮像手段とを備えたので、誰でも簡単且つ気軽に特殊な撮影条件で撮影を行うことができる。
【発明を実施するための最良の形態】
【００１１】
図１および図２において、本発明を適用したデジタルカメラ２には、撮像レンズ１０が組み込まれたレンズ鏡胴１１、光学ファインダを構成するファインダ対物窓１２とファインダ接眼窓１３、およびストロボ発光部１４が設けられている。デジタルカメラ２の側面および上面には、グリップ部１５、撮影モード選択ダイヤル１６、およびレリーズボタン１７が設けられ、他方の側面には、メモリカード１８が着脱自在に装填されるメモリカードスロット１９が設けられている。
【００１２】
デジタルカメラ２の背面には、液晶表示器（ＬＣＤ）２０と、操作部２１とが設けられている。ＬＣＤ２０は、撮影した画像や、いわゆるスルー画像を表示する。操作部２１は、電源のオン／オフ切替えを行う際に押圧操作される電源ボタン２２、後述する撮影モードと再生モードとを切り替えるためのモード選択レバー２３、ＬＣＤ２０にメニュー画面を表示させたり、選択内容を決定・キャンセルする際に押圧操作されるメニューボタン２４、ＬＣＤ２０に表示されるメニュー画面内でカーソルを移動させるカーソル操作板２５などからなる。
【００１３】
デジタルカメラ２の底面には、無線タグリーダ２６が取り付けられている。図３に示すように、この無線タグリーダ２６は、写真集３０に掲載されている写真３１の撮影条件が記憶された無線タグ３２から撮影条件を取り込んで、後述するフラッシュＲＯＭ５８（図４参照）に送信する。なお、無線タグ３２に記憶される撮影条件としては、絞り値、シャッタ速度、画角、撮影感度、ホワイトバランス補正値、γ補正値などの各種撮影パラメータ、撮影者、題名、サムネイル画像などの関連情報が挙げられる。
【００１４】
レリーズボタン１７は、２段階押しのスイッチとなっている。光学ファインダまたはＬＣＤ２０によるフレーミングの後に、レリーズボタン１７を軽く押圧（半押し）すると、自動露光調整（ＡＥ）、自動焦点調整（ＡＦ）などの各種撮影準備処理が施される。この状態でレリーズボタン１７をもう１度強く押圧（全押し）すると、撮影準備処理が施された１画面分の撮像信号が画像データに変換された後、後述する画像処理および圧縮処理が施され、メモリカード１８に記録される。
【００１５】
デジタルカメラ２では、撮影を行う撮影モード、撮影した画像をＬＣＤ２０に表示する再生モード、および各種設定を行うセットアップモードが選択可能となっている。また、撮影モードには、静止画撮影モード（オート、マニュアル）、動画撮影モード、および特殊撮影モードが設けられており、これらのモードの切り替えは、撮影モード選択ダイヤル１６およびモード選択レバー２３を操作することで行われる。
【００１６】
デジタルカメラ２の電気的構成を示す図４において、撮像レンズ１０には、レンズモータ４０が接続されている。また、絞り４１には、アイリスモータ４２が接続されている。これらのモータ４０、４２はステッピングモータからなり、ＣＰＵ４３に接続されたモータドライバ４４、４５から送信される駆動パルスにより動作制御され、レリーズボタン１７の半押しに伴う撮影準備処理を行う。
【００１７】
レンズモータ４０は、被写体距離に応じて撮像レンズ１０のフォーカスレンズを移動させ、撮影条件が最適となるように撮像レンズ１０の焦点調整を行う。アイリスモータ４２は、絞り４１を動作させ、撮像レンズ１０の露出調整を行う。      
【００１８】
撮像レンズ１０の背後には、撮像レンズ１０を透過した被写体光が撮像されるＣＣＤ４６が配置されている。ＣＣＤ４６には、ＣＰＵ４３によって制御されるタイミングジェネレータ（ＴＧ）４７が接続され、このＴＧ４７から入力されるタイミング信号（クロックパルス）により、電子シャッタのシャッタ速度が決定される。
【００１９】
ＣＣＤ４６から出力された撮像信号は、相関二重サンプリング回路（ＣＤＳ）４８に入力され、ＣＣＤ４６の各セルの蓄積電荷量に正確に対応したＲ、Ｇ、Ｂの画像データとして出力される。ＣＤＳ４８から出力された画像データは、増幅器（ＡＭＰ）４９で増幅され、Ａ／Ｄ変換器（Ａ／Ｄ）５０でデジタルデータに変換される。
【００２０】
画像入力コントローラ５１は、バス５２を介してＣＰＵ４３に接続され、ＣＰＵ４３の制御命令に応じてＣＣＤ４６、ＣＤＳ４８、ＡＭＰ４９、およびＡ／Ｄ５０を制御する。Ａ／Ｄ５０から出力された画像データは、画像入力コントローラ５１を介して、画像信号処理回路５３に送信される。
【００２１】
画像信号処理回路５３は、階調変換、ホワイトバランス補正、γ補正処理などの各種画像処理を画像データに施し、この画像データをＳＤＲＡＭ５４に格納する。ＳＤＲＡＭ５４に格納された画像データは、ＬＣＤドライバ５５によりコンポジット信号に変換され、ＬＣＤ２０に表示される。
【００２２】
画像信号処理回路５３で各種処理を施され、ＳＤＲＡＭ５４に格納された画像データは、図示しないＹＣ変換処理回路により、輝度信号Ｙと色差信号Ｃｒ、Ｃｂとに変換される。圧縮伸長処理回路５６は、この変換された画像データに対して、所定の圧縮形式（例えばＪＰＥＧ形式）で画像圧縮を施す。圧縮された画像データは、メディアコントローラ５７を経由してメモリカード１８に記録される。
【００２３】
バス５２には、上記各処理回路の他に、フラッシュＲＯＭ５８と、ストロボ装置５９の動作を制御するストロボ制御回路６０が接続されている。フラッシュＲＯＭ５８には、各種制御用のプログラムや設定情報が記憶される。また、図５に示すように、無線タグリーダ２６で取り込んだ撮影条件が４個分格納される条件領域６１が確保されている。ＣＰＵ４３は、これらの情報をフラッシュＲＯＭ５８から作業用メモリであるＳＤＲＡＭ５４に読み出して、各種処理を実行する。なお、ここでは、フラッシュＲＯＭ５８に記憶することができる撮影条件を４個としているが、デジタルカメラ２の仕様に応じて適宜変更することが可能である。
【００２４】
次に、上記構成を有するデジタルカメラ２の動作について、図６〜図１１を参照して説明する。まず、電源ボタン２２を押圧操作してデジタルカメラ２の電源を投入する。そして、撮影モード選択ダイヤル１６およびモード選択レバー２３を操作して、特殊撮影モードを選択し、メニューボタン２４を押圧操作すると、図６（Ａ）に示すメニュー画面７０ａがＬＣＤ２０に表示される。
【００２５】
メニュー画面７０ａを表示させた後、カーソル操作板２５を操作して「設定」にカーソル７１を合わせ、メニューボタン２４を押圧操作すると、図６（Ｂ）に示すメニュー画面７０ｂが表示される。そして、この状態で再びカーソル操作板２５、メニューボタン２４を操作して、「条件１」〜「条件４」の中から、撮影条件を設定したい項目を選択する。      
【００２６】
撮影条件を設定したい項目を選択した後、デジタルカメラ２を写真集３０の写真３１に添付された無線タグ３２の上にセットし、メニューボタン２４を操作して無線タグリーダ２６による撮影条件の取り込みを開始する。撮影条件の取り込み中には、図７（Ｃ）に示すように、「取り込み中」のダイアログ７２が表示される。このダイアログ７２は、撮影条件の取り込み終了とともに消える。
【００２７】
無線タグリーダ２６で取り込んだ撮影条件は、フラッシュＲＯＭ５８の条件領域６１に記憶される。撮影条件の取り込み終了後は、図７（Ｄ）に示すように、取り込んだ撮影条件を示す題名（「クラッシックカー」）７３が表示され、取り込みが終了したことがユーザーに通知される。ユーザーは、この通知を受けて、メニューボタン２４を操作してメニュー画面７０ａに戻り、「撮影」を選択して特殊撮影を行う。なお、取り込んだ撮影条件の内容をより分かり易くさせるために、題名の代わりにサムネイル画像などの画像データを撮影条件を示すものとして表示してもよい。
【００２８】
一方、デジタルカメラ２の仕様に合わない撮影条件を取り込もうとした場合（例えばストロボ装置が搭載されていないデジタルカメラに、ストロボ発光撮影をさせる撮影条件を取り込もうとした場合）には、図８に示すように、「取り込み不可」のダイアログ７４がＬＣＤ２０に表示された後、図６（Ａ）に示すメニュー画面７０ａに表示が戻される。
【００２９】
特殊撮影モード下において、撮像レンズ１０を介して入射した被写体光は、ＣＣＤ４６により光電変換され、ＣＤＳ４８でサンプリングされる。ＣＤＳ４８から出力された画像データは、ＡＭＰ４９で増幅され、Ａ／Ｄ５０でデジタルの画像データに変換される。デジタル変換された画像データは、画像入力コントローラ５１を介して画像信号処理回路５３に送信される。
【００３０】
無線タグリーダ２６で取り込んだ撮影条件は、フラッシュＲＯＭ５８からＳＤＲＡＭ５４に読み出される。画像信号処理回路５３では、デジタル変換された画像データに対して、無線タグリーダ２６で取り込んだ撮影条件に則った各種画像処理が施される。画像処理が施された画像データは、ＳＤＲＡＭ５４に順次格納される。ＳＤＲＡＭ５４に格納された画像データは、ＬＣＤドライバ５５を介して、ＬＣＤ２０にスルー画像として表示される。この状態でレリーズボタン１７が半押しされると、無線タグリーダ２６で取り込んだ撮影条件に則って撮影準備処理が施される。
【００３１】
撮影準備処理後、レリーズボタン１７の全押しにより撮影が実行されると、そのときＳＤＲＡＭ５４に格納されている画像データが図示しないＹＣ変換処理回路に読み出され、輝度信号Ｙと色差信号Ｃｒ、Ｃｂとに変換された後、圧縮伸長処理回路５６で圧縮処理が施され、メディアコントローラ５７を経由してメモリカード１８に記録される。
【００３２】
ここで、無線タグリーダ２６による撮影条件の取り込み前には、特殊撮影モード下では、予め設定されたオート撮影条件、またはカメラ購入時に設定されていたデフォルト撮影条件にて撮影が行われる。
【００３３】
フラッシュＲＯＭ５８に記憶されている撮影条件をリセットして、デフォルト撮影条件に戻したい場合は、モード選択レバー２３を操作してセットアップモードを選択し、図９に示すメニュー画面７０ｃをＬＣＤ２０に表示させる。そして、カーソル操作板２５、メニューボタン２４を操作して、「条件オールリセット」を選択する。なお、ＳＤＲＡＭ５４のバックアップ電池放電に伴うシステムリセットが行われた場合は、フラッシュＲＯＭ５８からＳＤＲＡＭ５４に読み出された撮影条件のみがリセットされ、デフォルト撮影条件に戻される。これにより、ユーザーの操作で簡単にデフォルト撮影条件に戻すことができる。
【００３４】
上記のような構成であると、無線タグリーダ２６で無線タグ３２から撮影条件を取り込むだけで、プロの写真家が撮影した写真のような、微妙な色合いや風趣を忠実に再現した写真を撮影することができる。
【００３５】
なお、上記実施形態では、写真集３０の写真３１に無線タグ３２を添付した例を挙げて説明したが、「風景」、「夜景」、「スポーツ」、「運動会」、「結婚式」など、様々なシーンに分類して、このシーンから想定されるシチュエーション、例えば「運動会」であれば、「入場式」、「かけっこ」、「ダンス」、「結婚式」であれば、「新郎新婦入場」、「ケーキ入刀」、「キャンドルサービス」などを階層的に設けておき、各シチュエーションに対して最適な撮影条件を無線タグ３２に記録させてもよい。この場合、あるシーンを選択してその撮影条件を取り込むと、階層的に設けられた複数のシチュエーション全てがフラッシュＲＯＭ５８の条件領域６１に記憶される。
【００３６】
また、図１２に示すように、撮影モード選択ダイヤルを、複数の撮影条件を段階的に切り換えることが可能な構成とし、撮影条件１〜４を各段階（ＳＰ１〜ＳＰ４）に割り当てるようにしてもよい。このようにすると、ＬＣＤ２０にメニュー画面を表示して撮影条件を選択する手間が省け、撮影条件の切り替えを迅速に行うことができる。
【００３７】
なお、実際に被写体の撮影を行ったときに取り込んだ撮影条件で支障がある場合には、ビープ音やメッセージなどでユーザーに警告を促し、撮影の実行を見合わせることが好ましい。
【００３８】
上記実施形態では、撮像装置としてデジタルカメラを例示して説明したが、本発明はこれに限定されず、他の撮像装置、例えばカメラ付き携帯電話などにも適用することができる。
【図面の簡単な説明】
【００３９】
【図１】本発明を適用したデジタルカメラの正面外観斜視図である。
【図２】デジタルカメラの背面外観斜視図である。
【図３】無線タグから撮影条件を取り込む際の様子を示す説明図である。
【図４】デジタルカメラの電気的構成を示すブロック図である。
【図５】フラッシュＲＯＭのデータ構成を示す説明図である。
【図６】特殊撮影モード下でＬＣＤに表示されるメニュー画面の遷移を示す図であり、（Ａ）は設定／撮影を選択する画面、（Ｂ）は撮影条件を取り込む項目を選択する画面をそれぞれ示す。
【図７】特殊撮影モード下でＬＣＤに表示されるメニュー画面の遷移を示す図であり、（Ｃ）は撮影条件の取り込み中の画面、（Ｄ）は撮影条件の取り込み後の画面をそれぞれ示す。
【図８】デジタルカメラの仕様に合わない撮影条件を取り込もうとした場合にＬＣＤに表示されるメニュー画面を示す図である。
【図９】撮影条件を取り込む際の処理手順を示すフローチャートである。
【図１０】セットアップモード下でＬＣＤに表示されるメニュー画面を示す図である。
【図１１】撮影条件をリセットする際の処理手順を示すフローチャートである。
【図１２】撮影モード選択ダイヤルの別の実施形態を示す図である。
【符号の説明】
【００４０】
２  デジタルカメラ
１０  撮像レンズ
１６、８０  撮影モード選択ダイヤル
１７  レリーズボタン
１８  メモリカード
２０  液晶表示器（ＬＣＤ）
２１  操作部
２３  モード選択レバー
２４  メニューボタン
２５  カーソル操作板
２６  無線タグリーダ
３２  無線タグ
４１  絞り
４３  ＣＰＵ
４６  ＣＣＤ
５３  画像信号処理回路
５４  ＳＤＲＡＭ
５８  フラッシュＲＯＭ
６１  条件領域
７０ａ〜７０ｃ  メニュー画面
【図１】
2005143023.tif 000003
【図２】
2005143023.tif 000004
【図３】
2005143023.tif 000005
【図４】
2005143023.tif 000006
【図５】
2005143023.tif 000007
【図６】
2005143023.tif 000008
【図７】
2005143023.tif 000009
【図８】
2005143023.tif 000010
【図９】
2005143023.tif 000011
【図１０】
2005143023.tif 000012
【図１１】
2005143023.tif 000013
【図１２】
2005143023.tif 000014